(57)【要約】【課題】拳銃の銃口を含め拳銃の重要な機構部分を極力覆うことができ、砂、水、泥等の浸入を防止することができると共に、操作性を向上できる拳銃用ホルスタを提供することを目的とする。【解決手段】拳銃５を入れる開口１１を有し、開口１１から挿入された拳銃５を収納するホルスタ本体１０と、ホルスタ本体１０に収納された拳銃５の少なくとも撃鉄部５２と開口１１を覆うように形成されたカバー１２と、カバー１２を、開口１１を覆って拳銃５を取り出し不可能な閉鎖位置から拳銃を取り出し可能な開放位置にスライド移動させる移動部１３と、カバー１２を閉鎖位置にてロックするレバー１４と、レバー１４によるロック状態を解除する操作部１５と、を有する。【選択図】図１
2011153769.tif 000002
【特許請求の範囲】
【請求項１】
拳銃を入れる開口を有し、前記開口から挿入された拳銃を収納するホルスタ本体と、
前記ホルスタ本体に収納された拳銃の少なくとも撃鉄部と前記開口を覆うように形成されたカバーと、
前記カバーを、前記開口を覆って前記拳銃を取り出し不可能な閉鎖位置から前記拳銃を取り出し可能な開放位置にスライド移動させる移動部と、
前記カバーを前記閉鎖位置にてロックするロック部材と、
前記ロック部材によるロック状態を解除する操作部と、
を有することを特徴とする拳銃用ホルスタ。
【請求項２】
前記拳銃には凹凸部が設けられており、
前記ロック部材が前記凹凸部に係合して前記カバーを前記閉鎖位置にてロックし、
前記ロック部材を前記凹凸部に係合する方向に付勢する付勢手段を有することを特徴とする請求項１に記載の拳銃用ホルスタ。
【請求項３】
前記操作部は、前記グリップを握った状態で指が届く位置に設けられていることを特徴とする請求項１または請求項２に記載の拳銃用ホルスタ。
【請求項４】
前記移動部は、前記カバーを前記閉鎖位置から前記開放位置にスライド移動させるリンクプレートを備え、
前記ホルスタ本体に設けられ、前記リングプレートと当接して前記開放位置にて前記カバーの位置を規制するストッパと、
前記ホルスタ本体に設けられ、前記リングプレートと接触して前記開放位置にて摩擦力によって前記カバーの位置を固定する突起（固定部材）と、
を有する請求項１から請求項３のいずれかに記載の拳銃用ホルスタ。
【請求項５】
前記カバーは、前記操作部の外形を覆うように形成されていることを特徴とする請求項１から請求項４のいずれかに記載の拳銃用ホルスタ。
【発明の詳細な説明】
【技術分野】
【０００１】
本発明は、拳銃用ホルスタに関する。
【背景技術】
【０００２】
従来、拳銃を収納する拳銃用ホルスタが提案されている（例えば、特許文献１，２参照）。特許文献１の拳銃用ホルスタでは、拳銃を収納する収納部と、収納部に開閉自在に設けられたカバー部とを有し、カバー部には、手を掛けることのできる引っ掛け部が形成されている。この構成によって、片手のみでケースから拳銃を円滑に取り出すことができる。また、特許文献２の拳銃用ホルスタでは、拳銃の脱落を防止するロック装置が拳銃を収納する収納部に設けられたものが提案されている。
【先行技術文献】
【特許文献】
【０００３】
【特許文献１】特開２００６−２９６４５号公報
【特許文献２】特表２００９−５２６１９６号広報
【発明の概要】
【発明が解決しようとする課題】
【０００４】
しかしながら、上記特許文献１の拳銃用ホルスタでは、収納部とカバー部の間に隙間があり、この隙間から砂、水、泥等が浸入しやすいという問題があった。また、片手のみでカバー部を開けることができるが、カバーを開ける動作と拳銃を抜く動作という二つの動作が必要となり、拳銃を簡単かつ素早く抜くことができなかった。
【０００５】
また、特許文献２の拳銃用ホルスタでも、同様に、収納部と拳銃の間の隙間から、砂、水、泥等が浸入しやすいという問題があった。また、ロック装置を外す動作と拳銃を抜く動作という二つの動作が必要となり、拳銃を簡単かつ素早く抜くことができなかった。
【０００６】
そこで、本発明は上記問題点に鑑みなされたものであって、拳銃を簡単かつ素早く抜くことができ、かつ砂、水、泥等の侵入を防止することができる拳銃用ホルスタを提供することを目的とする。
【課題を解決するための手段】
【０００７】
上記課題を解決するために、本発明の拳銃用ホルスタは、拳銃を入れる開口を有し、前記開口から挿入された拳銃を収納するホルスタ本体と、前記ホルスタ本体に収納された拳銃の少なくとも撃鉄部と前記開口を覆うように形成されたカバーと、前記カバーを、前記開口を覆って前記拳銃を取り出し不可能な閉鎖位置から前記拳銃を取り出し可能な開放位置にスライド移動させる移動部と、前記カバーを前記閉鎖位置にてロックするロック部材と、前記ロック部材によるロック状態を解除する操作部と、を有する。
【０００８】
本発明によれば、カバーはホルスタ本体に収納された拳銃と開口を覆うように形成されているため、拳銃の銃口を含め拳銃の重要な機構部分を極力覆うことができ、ホルスタ本体内への砂、水、泥等の浸入を防止することができる。また、操作部を操作することによりカバーが開放位置に移動するため、拳銃を簡単かつ素早く抜くことができ、操作性が向上する。
【０００９】
ここで、前記拳銃には凹凸部が設けられており、前記ロック部材が前記凹凸部に係合して前記カバーを前記閉鎖位置にてロックし、前記ロック部材を前記凹凸部に係合する方向に付勢する付勢手段を有する。本発明によれば、銃の形状を利用してロック構造を実現することができる。
【００１０】
また、前記操作部は、銃のグリップを握った状態で指が届く位置に設けられている構成にできる。本発明によれば、前記グリップを握った状態でロック部材のロックを解除し、拳銃を取り出すという一連の操作が可能となる。
【００１１】
また、前記移動部は、前記カバーを前記閉鎖位置から前記開放位置にスライド移動させるリンクプレートを備え、前記ホルスタ本体に設けられ、前記リングプレートと当接して前記開放位置にて前記カバーの位置を規制するストッパと、前記ホルスタ本体に設けられ、前記リングプレートと接触して前記開放位置にて摩擦力によって前記カバーの位置を固定する突起（固定部材）と、を有する。
【００１２】
本発明によれば、開放位置においてカバーの位置を規制することができ、ホルスタ本体とカバーが直接接触するのを防止できる。また、摩擦力によってカバーが開いた位置を維持することができる。
【００１３】
また、前記カバーは、前記操作部の外形を覆うように形成されている構成にできる。  本発明によれば、操作部の意図しない操作を防止できる。
【発明の効果】
【００１４】
本発明によれば、拳銃を簡単かつ素早く抜くことができ、かつ砂、水、泥等の侵入を防止することができる拳銃用ホルスタを提供することができる。
【図面の簡単な説明】
【００１５】
【図１】本発明の拳銃用ホルスタを示す正面図である。
【図２】（ａ）は本発明の拳銃用ホルスタの上面図、（ｂ）は右側面図である。
【図３】本発明の拳銃用ホルスタの左側面図であり、（ａ）は端部の一部に開口を有する場合の例、（ｂ）は端部の全部が開口している場合の例を示す図である。
【図４】（ａ）はカバーが閉鎖位置にある状態を示す正面図、（ｂ）はカバーが閉鎖位置と開放位置との間にある状態を示す図、（ｃ）はカバーが開放位置にある状態を示す図である。
【発明を実施するための形態】
【００１６】
以下、添付図面を参照して、本発明を実施するための形態（以下、実施形態）について詳細に説明する。
【００１７】
図１は本発明の拳銃用ホルスタを示す正面図である。図２（ａ）は本発明の拳銃用ホルスタの上面図、（ｂ）は右側面図である。図３は、本発明の拳銃用ホルスタの左側面図であり、（ａ）は端部の一部に開口を有する場合の例、（ｂ）は端部の全部が開口している場合の例を示す図である。図４（ａ）はカバーが閉鎖位置にある状態を示す正面図、（ｂ）はカバーが閉鎖位置と開放位置との間にある状態を示す図、（ｃ）はカバーが開放位置にある状態を示す図である。
【００１８】
まず、拳銃５について説明すると、図１に示すように、拳銃５には、グリップ５１と、撃鉄部５２と、銃身５３と、銃口５４と、引き金部５５とが設けられている。拳銃５のグリップ５１と撃鉄部５２との間には、突起部（凹凸部）５６が形成されている。突起部５６の頂部５６ａより上側は、比較的大きい曲率半径で凹状に湾曲形成されている。頂部５６ａより下側は、上側より小さい曲率半径で凹状に湾曲形成されている。
【００１９】
次に、拳銃用ホルスタ１について説明すると、拳銃用ホルスタ１には、拳銃５を収納するホルスタ本体１０とホルスタ本体１０に対してスライド自在なカバー１２とが設けられている。このホルスタ本体１０には、拳銃５を入れる開口１１が形成されており、このホルスタ本体１０は、開口１１から挿入された拳銃５を拳銃５のグリップ５１が飛び出した状態で収納できるように形成されている。したがって、ホルスタ本体１０は、撃鉄部５２を除いた銃身５３、銃口５４、引き金５５等の重要機構部分を収納できるよう形状に形成されている。
【００２０】
ホルスタ本体１０の端部１６には、図３（ａ）に示すように、拳銃５の銃口５４に対応する部分を除いて開口１７が形成されている。ホルスタ本体１０内に進入した砂、水分、泥等は、開口１７から排出することができる。また、図３（ｂ）に示すように、端部１６の略全体に開口１７ａを形成するようにしてもよい。
【００２１】
図１に戻り、ホルスタ本体１０には、調整ねじ１８が設けられており、この調整ねじ１８を締めたり緩めたりすることにより、ホルスタ本体１０の収納幅が調節されて、拳銃５をホルスタ本体１０に収納する際のホルスタ本体１０が拳銃５を押さえつける力を調節することができる。
ホルスタ本体１０の収納幅を調整することによって、ホルスタ本体１０の拳銃５に対する保持力を調整でき、拳銃５がホルスタ本体１０内でガタ付くのを抑制できる。
【００２２】
次に、カバー１２について説明する。カバー１２は、図２（ｂ）に示すように、側面視略コの字状に形成されている。このカバー１２は、ホルスタ本体１０の開口１１と、拳銃５の撃鉄部５２を覆って、砂、水、泥等がホルスタ本体１０内に入らないよう形成されている。カバー１２は、拳銃５をホルスタ本体１０に収納した際、拳銃の撃鉄部５２を覆うことができ、拳銃５を保護する機能を持つ。カバー１２が開放位置の状態（図４（ｃ）参照）で、拳銃５をホルスタ本体１０の開口１１から取り出すことができる。
【００２３】
また、カバー１２には、ロック部材１４が設けられており、このロック部材１４は、中心軸２０によってカバー１２に回動自在に取り付けられている。このロック部材１４は、その略中心部で屈曲され、ほぼくの字状に形成されている。このロック部材１４の一方には、ほぼ逆Ｌ字状に伸びる係止部１９が設けられており、他方には操作部１５が設けられている。ロック部材１４の中心軸２０の両側にはトーションばね（付勢手段）２１が付いており、このトーションばね２１がロック部材１４の係止部１９を拳銃５の突起部５６に引っ掛かる方向（図にて、右回転）に荷重を与えて付勢する。このロック部材１４の係止部１９が拳銃５の突起部５６に引っ掛かることにより、拳銃５の収納時にカバー１２は、開口１１と撃鉄部５２を覆った閉鎖位置にてロックされる。
【００２４】
操作部１５は、拳銃５のグリップ５１を使用者が握った状態で指が届く位置に設けられている。  操作部１５を操作することによって、係止部１９を突起部５６から外すことができ、ロック部材１４によるロック状態を解除することができる。また、カバー１２は、ロック部材１４の外形を覆うように延出部１２ａが形成されている。この延出部１２ａによって意図しないロック部材１４の操作を防止することができる。
【００２５】
次に、移動機構について説明する。ホルスタ本体１０には、カバー１２が移動機構（移動部）１３を介して取り付けられている。この移動機構１３は、このカバー１２を、開口１１を覆って拳銃５を取り出し不可能な閉鎖位置から開口１１を開いて拳銃５を取り出し可能な開放位置にスライド移動させるものである。
【００２６】
より詳細には、移動機構１３は、ホルスタ本体１０とカバー１２との間に配置され互いに平行な一対のリンクプレート３１ａ、３１ｂを有する。リンクプレート３１ａ、３１ｂは、一端が中心軸３２ａ、３２ｂによってホルスタ本体１０に回動自在に取り付けられ、他端が中心軸３３ａ、３３ｂによってカバー１２に回動自在に取り付けられている。これらのリンクプレート３１ａ，３１ｂによって、カバー１２がホルスタ本体１０に対してカバー１２が開口１１を覆った閉鎖位置からカバー１２が開口１１を開いた開放位置にスライド移動自在に連結されている。
【００２７】
ホルスタ本体１０には、リンクプレート３１ｂと当接して開放位置にてカバー１２の位置を規制するストッパ３４が設けられている。このストッパ３４は、下側のリンクプレート３１ｂを支持する中心軸３２ｂの近傍に設けられている。ストッパ３４は、下側のリンクプレート３１ｂが所定の角度だけ回転移動した際に、当該リンクプレート３１ｂに当接する。このストッパ３４によって、下側のリンクプレート３１ｂの回転位置を規制することにより、カバー１２を開口１１が開いた開放位置で停止させることができる。
【００２８】
また、ホルスタ本体１０には、リンクプレート３１ａ、３１ｂと接触して上記開放位置にて摩擦力によってカバー１２の位置を固定する突起（固定部材）３５ａ〜３５ｃが設けられている。突起３５ａ〜３５ｃは、カバー１２が開放位置付近で、リンクプレート３１ａ、３１ｂに接触するように形成されている。
【００２９】
ホルスタ本体１０及びカバー１２は、たとえば耐熱性及び耐候性の高い樹脂で形成されている。これによって、拳銃用ホルスタ１を屋外で使用した場合でも、熱や紫外線等によってホルスタ本体１０及びカバー１２に、変形、変色、劣化、割れ等が発生するのを抑制できる。ホルスタ本体１０及びカバー１２は、形状を保持できる材料であれば樹脂以外の適宜な材料、例えば革等で形成することができる。また、ホルスタ本体１０を樹脂等の硬質な材料で形成した場合には、ホルスタ本体１０の内面に革等の比較的柔らかい材料を貼ることにより、拳銃５がホルスタ本体１０内で滑るのを抑制できる。
【００３０】
次に、この拳銃用ホルスタ１の作用を説明する。図１に示すように、カバー１２が閉鎖位置に位置する場合は、拳銃５は、グリップ５１を除く殆どの部分がホルスタ本体１０に収納されており、カバー１２は拳銃５の撃鉄部５２を覆っている。この状態では、ロック部材１４の係止部１９が拳銃５の突起部５６に係合され、その係合状態がトーションばね２１によって保持されている。これによって、カバー１２が閉鎖位置でロックされ、不用意に開かれるのを防止できる。
【００３１】
この状態から、カバー１２を開く場合は、まず図４（ａ）に示すように、ロック部材１４の操作部１５を親指にて所定の押圧力で開放位置側に押圧する。これによって、ロック部材１４が中心軸２０を中心として図４（ａ）中の反時計回転方向に回転し、ロック部材１４の係止部１９が突起部５６から離間してその係合が解除される。これにより、カバー１２のロックが解除される。
【００３２】
カバー１２のロックが解除された後、そのまま親指でロック部材１４の操作部１５を開放位置側に押圧すると、図４（ｂ）に示すように、リンクプレート３１ａ、３１ｂによりカバー１２が閉鎖位置から平行移動して前方に移動を始める。更に操作部１５を押圧すると、図４（ｃ）に示すように、下側のリンクプレート３１ｂがホルスタ本体１０の側面にある斜めのストッパ３４に接触することによりカバー１２の移動が終了して開放位置で停止する。これにより、ホルスタ本体１０上部は開放され、拳銃５をホルスタ本体１０から取り出すことが可能となる。なお、リンクプレート３１ａ、３１ｂはホルスタ本体１０側面にある３本の突起３５ａ〜３５ｃとの摩擦力によりその位置に固定され、カバー１２はこの位置に固定されたままとなる。このようにして、操作部１５を押圧するだけの簡単な操作で、ロックされているカバー１２のロックを解除し、カバー１２を迅速に開くことができるので、拳銃５を簡単かつ素早く取り出すことができる。
【００３３】
次に、拳銃５を拳銃用ホルスタ本体１０に収納時、カバー１２を図４（ｃ）の開放位置から閉鎖位置まで移動させる場合は、拳銃５をホルスタ本体１０に収納し、カバー１２を手動にてホルスタ本体１０側に付勢して、カバー１２を拳銃５の撃鉄部５２の位置まで動かす。カバー１２が拳銃５の撃鉄部５２の下部の突起部５６に近づくと、ロック部材１４の係止部１９が拳銃５の撃鉄部５２の下部の突起部５６により持ち上げられる。ロック部材１４の係止部１９が突起部５６の頂部５６aを乗り越えると、トーションばね２１の力によりロック部材１４が元の位置に戻り、ロック部材１４の係止部１９はこの突起部５６に引っ掛かり、カバー１２の動きは固定される。これによって、カバー１２が閉鎖位置でロックされ、不用意に開放されるのを抑制できる。
【００３４】
本実施形態の拳銃用ホルスタ１によれば、ロック部材１４の操作部１５を開放位置側に押圧するだけでカバー１２のロックを簡単に解除して拳銃５を抜くことができると共に、開放位置にあるカバー１２を閉鎖位置側に押圧するだけで、カバー１２を閉鎖位置に移動させてその位置でカバー１２を簡単にロックできるので、操作性が大幅に向上する。また、拳銃５の形状を利用してカバー１２のロック構造を実現できるので、構成を簡略化できる。
【００３５】
また、カバー１２はホルスタ本体１０の開口１１を覆うように形成されているため、ホルスタ本体１０及びカバー１２によって拳銃５の銃口５４を含め拳銃５の重要な機構部分である撃鉄部５２、銃身５３、引き金部５５を極力覆うことができ、内部への砂、水、泥等の浸入を防止することができ、拳銃５を保護することができる。
【００３６】
また、ホルスタ本体１０に、開放位置にてカバー１２の位置を規制するストッパ３４が設けられているので、カバー１２が必要以上に開き過ぎるのを抑制でき、これにより、カバー１２を比較的少ない移動量で容易に閉鎖できる。
【００３７】
更に、ホルスタ本体１０には、カバー１２が開放位置から閉鎖位置まで移動する間に、リンクプレート３１に接触して摩擦力を生させる突起３５が設けられているので、カバー１２を開放位置で固定することができる。
【００３８】
また、ロック部材１４の操作部１５は、拳銃５のグリップ５１を握った状態で指が届く位置に設けられているので、グリップ５１を握った状態でカバー１２のロックを解除し、拳銃５を取り出す操作性が更に向上する。
【００３９】
また、カバー１２は、ロック部材１４の操作部１５の外形を覆うよう延出部１２ａが形成されているので、操作部１５の意図しない操作を防止できる。
【００４０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００４１】
１  拳銃用ホルスタ
５  拳銃
１０  ホルスタ本体
１１  開口
１２  カバー
１３  移動機構
１４  ロック部材
１５  操作部
１６  端部
１７  開口
１９  係止部
２０  中心軸
２１  トーションばね
３１  リンクプレート
３２、３３  中心軸
３４  ストッパ
３５  突起（固定部材）
５１  グリップ
５２  撃鉄部
５３  銃身
５４  銃口
５５  引き金部
５６  突起部
５６ａ  頂部
【図１】
2011153769.tif 000003
【図２】
2011153769.tif 000004
【図３】
2011153769.tif 000005
【図４】
2011153769.tif 000006